(57)【特許請求の範囲】
【請求項１】
外筒と、外筒の内部上端側に当該外筒と同軸に設けられたナット部と、外筒の内部下端側に当該外筒と同軸に嵌合された内筒と、当該内筒の上端部側に当該内筒の上端縁から軸方向下方に向けて形成された複数の切り込みからなる拡張部と、前記ナット部と内筒との間に介在し、前記ナット部のナット穴を通って外筒の軸方向に挿入された棒状部材を介して前記内筒内に叩きこまれて拡張部を拡開させるテ-パ状の周面を備えた拡張駒とを備え、
前記拡張駒は、下部が内筒に嵌合する小径部であって上部が上方に向けて次第に径が拡大する拡張部を有することを特徴とするアンカーボルト。
【請求項２】
ナット部は外筒の内周面に固着されたナットであることを特徴とする請求項１に記載のアンカーボルト。
【請求項３】
ナット部は外筒の内周面に一体的に形成された雌ねじであることを特徴とする請求項１に記載のアンカーボルト。
【請求項４】
内筒は、当該内筒の下端が外筒の下端と一致する軸方向長さを有する筒部材であって、当該外筒に嵌合されたことを特徴とする請求項１乃至請求項３の何れかに記載のアンカーボルト。
【請求項５】
内筒は、当該内筒の下端が外筒の下端に達しない軸方向長さを有する短筒部材であって、拡張部を除く適所が当該外筒に固着されたことを特徴とする請求項１乃至請求項３の何れかに記載のアンカーボルト。
【請求項６】
内筒は、当該内筒の下端が外筒の下端より外部に露出するよう当該外筒に嵌合されたことを特徴とする請求項１乃至請求項３の何れかに記載のアンカーボルト。
【請求項７】
拡張駒は、小径部の少なくとも一部が内筒内に嵌挿されて組み付けられたことを特徴とする請求項１乃至請求項６の何れかに記載のアンカーボルト。
【発明の詳細な説明】
【０００１】
【発明の属する技術分野】
本発明は、コンクリート等、強固な面に打ち込まれて埋設固定されるアンカーボルトに関する。
【０００２】
【従来の技術】
従来のアンカーボルトは、例えば、固化したコンクリートに埋め込み穴を開け、この穴にコーンを下開きの状態に差し入れ、コーンが最大に拡開するまで打ち込んで、埋設固定されていた。
【０００３】
【発明が解決しようとする課題】
しかし、このようなアンカーボルトでは、コーンが拡開しながら打ち込まれて行く過程で、埋め込み穴の内周壁を削りながら進入し、削られたコンクリート破片がコーンの内側へ抱え込まれていき、コーンの進入を邪魔したり阻止したりするため、コーンが十分な深さまで打ち込めないことが少なくなかった。
このような場合には、埋設位置をずらしたり、位置をずらすことができない場合には、生コンクリートを打ち直してのやり直しとなるため、作業の手間と時間とを余計に要していた。
【０００４】
又、従来のコーンは、進入先端側が大径部で後端側が小径部後であるため、仮に、理想的な状態で打ち込まれたとしても、引き抜き方向の引っ張りに対する抵抗力が弱く、緩みが生じ、抜け易いという問題もあった。
【０００５】
本発明は、前記の問題を解消し、打ち込み易く強固に設定できるアンカーボルトの提供を目的とする。
【０００６】
【課題を解決するための手段】
請求項１の発明は、外筒と、外筒の内部上端側に当該外筒と同軸に設けられたナット部と、外筒の内部下端側に当該外筒と同軸に嵌合された内筒と、当該内筒の上端部側に当該内筒の上端縁から軸方向下方に向けて形成された複数の切り込みからなる拡張部と、前記ナット部と内筒との間に介在し、前記ナット部のナット穴を通って外筒の軸方向に挿入された棒状部材を介して前記内筒内に叩きこまれて拡張部を拡開させるテ-パ状の周面を備えた拡張駒とを備え、
前記拡張駒は、下部が内筒に嵌合する小径部であって上部が上方に向けて次第に径が拡大する拡張部を有することを内容とする。
【０００７】
請求項２の発明は、請求項１に記載のアンカーボルトにおいて、ナット部は外筒の内周面に固着されたナットであることを内容とする。
【０００８】
請求項３の発明は、請求項１に記載のアンカーボルトにおいて、ナット部は外筒の内周面に一体的に形成された雌ねじであることを内容とする。
【０００９】
請求項４の発明は、請求項１乃至請求項３の何れかに記載のアンカーボルトにおいて、内筒は、当該内筒の下端が外筒の下端と一致する軸方向長さを有する筒部材であって、当該外筒に嵌合されたことを内容とする。
【００１０】
請求項５の発明は、請求項１乃至請求項３の何れかに記載のアンカーボルトにおいて、内筒は、当該内筒の下端が外筒の下端に達しない軸方向長さを有する短筒部材であって、拡張部を除く適所が当該外筒に固着されたことを内容とする。
【００１１】
請求項６の発明は、請求項１乃至請求項３の何れかに記載のアンカーボルトにおいて、内筒は、当該内筒の下端が外筒の下端より外部に露出するよう当該外筒に嵌合されたことを内容とする。
【００１２】
請求項７の発明は、請求項１乃至請求項６の何れかに記載のアンカーボルトにおいて、拡張駒は、小径部の少なくとも一部が内筒内に嵌挿されて組み付けられたことを内容とする。
【００１３】
【発明の実施の形態】
実施の形態１．
以下、本発明の実施の形態１を示す図１乃至図６に基づいて説明する。
図１は縦断面図、図２は図１の要部拡大図、図３は内筒の斜視図、図４は組み立て工程説明図、図５は打ち込み状態を示す縦断面図、図６は打ち込み完了状態を示す縦断面図である。
【００１４】
図１及び図２において、図中の符号１は外筒である。外筒１は、破断し難く柔軟性を備えた円筒形状の部材、例えば金属製のパイプ部材で形成された外筒である。この外筒１の内部の上端側には、当該外筒１と同軸にナット部２が設けられている。図示の例では、パイプ状部材２１の内周面に雌ねじ２２を形成したナット部２を外筒１の上端側から同軸的に嵌挿されている。
【００１５】
嵌挿されるナット部２のパイプ状部材２１の外周の胴回りには予めカシメ形成用のカシメ受け溝２３が形成されており、外筒１に嵌挿した後、外筒１の外周側からカシメることで、当該外周１と一体化し、外筒１の軸方向及び軸廻り方向に不動となる。
【００１６】
尚、パイプ部材２１を用いたこのナット部２は、要は、外筒１の軸方向及び軸廻り方向に不動となれば良いわけであるから、必ずしも、カシメによる一体化に限らず、詳しくは後述するように溶接してもよいし、外筒１にきつく嵌合させるだけでも良い。
【００１７】
符号３は外筒１の外周の少なくとも一部を膨出させるための拡張駒としての拡張駒である。
拡張駒３は、下端側が小径（以下、小径部ともいう）で、上端側が大径（以下、大径部ともいう）のテ−パ形の外周面を備えた略載頭円錐形状の部材で形成されており、大径部側（上端側）の径は外筒１の内径にほぼ等しく、外筒１の下端側から挿入されて、当該大径部の上端面３１の外周縁がナット部２の下端に当接するよう外筒１に組みつけられた状態に配置される。
【００１８】
他方、この拡張駒３の小径部の下端は、後述する内筒４の内径側に若干嵌合する外径となっている。
即ち、この拡張駒３は、外筒１内に組み付けられた状態において、下端側の小径部から上端側の大径部に向けて次第に外径が拡大する大径部（テ−パ部）を有する部材である。
【００１９】
図１及び図３において、符号４は内筒である。この内筒４は外筒１の内部下端側に外筒１の下端側からと同軸に密に嵌合された金属製のパイプ状部材である。内筒４の上端部側には、内筒４の上端縁から軸方向下方に向けて形成された複数の切り込み４１、４１、４１、４１が本形成されてなる拡張部４２を備えている。内筒４はその外周面が外筒１の内周面に密着する外形を持ち、外筒１に対してきつく嵌合させるのが好ましい。
【００２０】
図１及び図４において、外筒１にその下端側側から挿入された内筒４は、内筒４の上端側即ち拡張部４２の上端側が、前記拡張駒３の小径部を飲み込むように、即ち拡張駒３の小径部側が内筒４の内部に臨む状態に組み付け（嵌合）させる。この場合、図４の左断面に示すように、挿入された内筒４が拡張駒３の小径部側のテ−パ面に当たった段階で挿入完了とするのではなく、テ−パ面に当てた後、更にテ−パ面と外筒１の内周面との間に若干食い込むように内筒４を打ち込むのが好ましい。図４の右断面はこうして内筒４が打ち込まれた状態を示す。
【００２１】
このように、内筒４を打ち込むことによって、外筒１の内部に配置された拡張駒３及び当該内筒４は強固に組み付けられ、使用前のアンカーボルトとして一体化し、通常の取り扱い状態下では容易には分離不能となって、取り扱いに便利となる。
【００２２】
図５及び図６において、このアンカーボルトの動作を説明する。
先ず、図５において、コンクリート床面６にアンカーボルトの外筒形状と同形状の穴６１を穿ってアンカーボルトをセット（挿入）する。
次に、専用工具としての例えば棒状部材５を、外筒１の軸方向に挿入し、ナット部２のナット穴を通して、ナット部２と内筒４との間に介在させた拡張駒３の後端に、その棒状部材５の挿入先端を当て、棒状部材５の後端部をハンマー等で叩く。
【００２３】
こうして、後端がハンマー等で叩かれる棒状部材５を介して、拡張駒３が内筒４の拡張部内に侵入すると、拡張駒３のテーパ面が内筒４の拡張部を外径方向に拡開して、外筒１の外周部の一部を更に外径方向に押しだし膨出させる。即ち、外筒１の筒壁の一部が略周方向にわたって外方に張り出すことにより、外筒１が穴に引きぬき不能に固定され、アンカーボルトが強固に固定される。
尚、図６にいて、７はひ被固定部材であり、ナット部２にワッシャ８を介してねじ込まれたボルト９によって固定される。
【００２４】
実施の形態２．
次に実施の形態２を図７に基づいて説明する。図７は要部拡大図である。
図７において、この実施の形態２は、上記実施の形態１におけるナット部２に相応するナット部２Ａとして、例えば市販の適当なナットを、外筒１の内周面に熔接等の適宜手段を用いて固着して設けた構成としたものである（図１、図２参照）。その他の構成は上記実施の形態１と同様である。
このように構成すると、カシメ手段を用いてナット部２Ａを外筒１と一体化させる必用はなくなり、カシメを施すための前処理加工等を無用とすることができる。
【００２５】
実施の形態３．
次に実施の形態３を図８に基づいて説明する。図８は要部拡大図である。
図８において、この実施の形態３は、上記実施の形態１或いは実施の形態２におけるようにナット部２、２Ａを別部材とせず、当該外筒１の内周面に雌ねじを一体的に刻設してナット部２Ｂを構成したものである（図１、図２参照）。その他の構成は上記実施の形態１と同様である。
【００２６】
この場合、外筒１の内部上端側の肉厚を内部下端側より当該外筒１の軸心方向に厚く形成し、その内周面側に雌ねじ即ちナット部２Ｂを形成するとよい。
このように構成すると、ナット部２Ｂとして外筒１の内周面に雌ねじを刻設する手間は要するものの、別部材としてのナット部２、２Ａを外筒１と一体化させるためのカシメ手段や熔接手段を用いる必要はなく、ナット部２Ｂが上記実施の形態のナット部２、２Ａのように外れる虞をなくすことができる。
【００２７】
実施の形態４．
実施の形態４は、上記実施の形態１乃至実施の形態３における内筒４の外筒１に対する組み付けを異にする構成のみに関するものであって、その他の構成は同様である。
即ち、上記実施の形態１乃至実施の形態３において、内筒４は、下端が外筒１の下端と一致する軸方向長さを有する筒部材であって、当該外筒１に嵌合しただけで設けてもよいし、内筒４の下端が外筒１の下端に達しない軸方向長さを有する短筒部材であって、拡張部を除く適所を外筒１に固着して設けてもよい。
【００２８】
又、内筒４は、当該内筒４の下端が外筒１の下端より外部に若干露出するよう当該外筒１に嵌合しておいてもよい（図４の左側断面図）。
この場合、内筒４は、上記の動作説明における拡張駒３の叩き込みの、例えば、ハンマーによる第１撃で、外筒１に対して相対的に摺り上がり、露出した下端が外筒１の下端と一致する。
【００２９】
【発明の効果】
請求項１乃至請求項７の各発明によれば、何れも、従来のアンカーボルトに比べてコーン即ち拡張駒が外筒の内部に納められているので、コンクリートに開けられた埋め込み穴に対して円滑に、しかも、穴の深部にまで確実に差し入れることができる。
【００３０】
又、穴の深部にまで確実に差し入れられた状態で叩かれた拡張駒によって、内筒の拡大径部が上開きの状態で拡開して、外筒の一部外周を膨出拡大させるので、引き抜き方向の引っ張りに対する抵抗が強固となり、緩みが生じ難く、抜け難いアンカーボルトを提供することができる。
【００３１】
請求項２の発明によれば、カシメ手段によるナット部の外筒との一体化作業が容易となる。
【００３２】
請求項３の発明によれば、ナット部と外筒とが一体であるため、ナット部が分離脱落する虞がなくなり、より安全なアンカーボルトを提供することができる。
【００３３】
請求項４の発明によれば、拡大径部を備えた内筒が外筒内に嵌合されているので、埋め込み穴への挿入に対して、従来のように穴の内面に引っかかることがなく、円滑にアンカーボルトを挿入することができる。
【００３４】
又、内筒の下端が外筒の下端と一致しているので、内筒が穴の底面に確実に当接されることになり、従来のように打ちこみによって更に深くずれ込むことがなく、所定の位置で拡大径部が拡大するため、外筒の膨出部が上下方向に緩みなく穴の内壁に密着し確実且つ強固に固定することができる。
【００３５】
請求項５の発明によれば、内筒の下端を外筒の下端と一致させる必要がないので、軸方向長さを比較的短くすることができる。
【００３６】
請求項６の発明によれば、内筒の下端を外筒の下端より若干露出させることにより、打ちこみの際における拡張駒の内筒に対する侵入距離を、露出分の軸方向長さ分長くすることができるので、内筒の拡張部における拡張度合いをより大きくさせることができる。
【００３７】
請求項７の発明によれば、予め、拡張駒の小径部が内筒に嵌合されているので、打ちこみに際して、内筒に拡張駒を確実に侵入させる事ができる。
【図面の簡単な説明】
図１は縦断面図、図２は図１の要部拡大図、図３は内筒の斜視図、図４は組み立て工程説明図、図５は打ち込み状態を示す縦断面図、図６は打ち込み完了状態を示す縦断面図
【図１】  実施の形態１の縦断面図である。
【図２】  図１の要部拡大図である。
【図３】  実施の形態１の内筒の斜視図である。
【図４】  実施の形態１の組み立て工程説明図である。
【図５】  実施の形態１の打ち込み状態を示す縦断面図である。
【図６】  実施の形態１の打ち込み完了状態を示す縦断面図である。
【図７】  実施の形態２の要部拡大図である。
【図８】  実施の形態３の要部拡大図である。
【符号の説明】
１  外筒、
２、２Ａ、２Ｂ  ナット部、
３  拡張駒、
４  内筒、
４２  拡大径部、
５  棒状部材。
【図１】
0003646112.tif 000002
【図２】
0003646112.tif 000003
【図３】
0003646112.tif 000004
【図４】
0003646112.tif 000005
【図５】
0003646112.tif 000006
【図６】
0003646112.tif 000007
【図７】
0003646112.tif 000008
【図８】
0003646112.tif 000009